(57)【要約】      （修正有）【課題】好適な使用利便性を有するジップスライダーロックを提供する。【解決手段】ジップスライダーロックは、第一のスライダー１１０と一端１２１が第一のスライダー１１０に接続された第一の引手１２０とを含む第一のジップスライダー１００と、第二のスライダー２１０と一端２２１が第二のスライダー２１０に接続された第二の引手２２０とを含む第二のジップスライダー２００と、ロック穴を有するロックボディであって、第一の引手１２０と第二の引手２２０がロック穴からロックボディに挿入され、ロックボディによりロックされることが可能であるロックボディと、を備えている。【選択図】図１Ａ
0003218291.tif 000002
【実用新案登録請求の範囲】
【請求項１】
第一のスライダーと一端が前記第一のスライダーに接続された第一の引手とを含む第一のジップスライダーと、
第二のスライダーと一端が前記第二のスライダーに接続された第二の引手とを含む第二のジップスライダーと、
ロック穴を有するロックボディであって、前記第一の引手と前記第二の引手が前記ロック穴から前記ロックボディに挿入され、前記ロックボディによりロックされることが可能であるロックボディと、
を備えている、ジップスライダーロック。
【請求項２】
前記第一の引手の他端には、第一の通り穴を有し、
前記第二の引手の他端には、第二の通り穴を有し、
前記ロックボディの一端には、第一のロック穴と第二のロック穴を有し、前記第一のロック穴と前記第二のロック穴の開口が互いに平行し、
前記第一のスライダーと前記第二のスライダーが、X-Y平面において隣接して位置する時、前記第一の引手と前記第二の引手は、X-Y平面に平行し、前記第一の引手は、前記第二の引手の少なくとも一部を覆い、前記第一の通り穴と前記第二の通り穴のX-Y平面への投影の少なくとも一部が重なり、
前記第一のスライダーと前記第二のスライダーが、X-Y平面において隣接して位置する時、前記第一の引手と前記第二の引手は、それぞれ前記第一のロック穴と前記第二のロック穴に挿入され、前記ロックボディによりロックされることが可能になる、請求項1に記載のジップスライダーロック。
【請求項３】
前記第一の引手の他端には、第一の通り穴を有し、
前記第二の引手の他端には、第二の通り穴を有し、
前記ロックボディの一端には、第一のロック穴と第二のロック穴を有し、前記第一のロック穴と前記第二のロック穴の開口は、互いに平行し、
前記第一のスライダーと前記第二のスライダーが、X-Y平面において隣接して位置する時、前記第一の引手と前記第二の引手は、X-Z平面に平行し、
前記第一の引手と前記第二の引手は、それぞれ前記第一のロック穴と前記第二のロック穴に挿入可能になる、請求項1に記載のジップスライダーロック。
【請求項４】
前記第一のスライダーと前記第二のスライダーが、X-Y平面において隣接して位置する時、前記第一の引手と前記第二の引手は、X-Y平面に対して垂直であり、前記第一の引手と前記第二の引手の少なくとも一部が当接する、請求項1に記載のジップスライダーロック。
【請求項５】
前記第一の引手と前記第二の引手が当接することにより円柱体が形成され、前記第一の引手と前記第二の引手の外周面には、それぞれに第一の位置決めねじと第二の位置決めねじを有し、
前記ロックボディの内部には、位置決め部材を有し、前記位置決め部材は、前記第一の位置決めねじ及び前記第二の位置決めねじと係合可能である、請求項4に記載のジップスライダーロック。
【請求項６】
第一のスライダーロックと第一の引手とを含み、前記第一のスライダーロックの一端には、第一のスライダーロック穴を有し、他端が前記第一の引手に接続された第一のジップスライダーと、
第二のスライダーロックと第二の引手とを含み、前記第二のスライダーロックの一端には、第二のスライダーロック穴を有し、他端が前記第二の引手に接続された第二のジップスライダーと、
対向する両端に設けられた第一の固定部と第二の固定部を含む固定部材と、を備え、
前記第一のスライダーロックと前記第二のスライダーロックが、隣接して位置する時、前記第一のスライダーロックと、前記固定部材と、前記第二のスライダーロックとは互いに密接し、前記固定部材は、前記第一のスライダーロックと前記第二のスライダーロックとの間に位置し、
前記第一の固定部と前記第二の固定部は、それぞれ前記第一のスライダーロック穴と前記第二のスライダーロック穴に挿入され、それぞれ前記第一のスライダーロックと前記第二のスライダーロックによりロックされることが可能になる、
ジップスライダーロック。
【請求項７】
第一のスライダーロックと第一の引手とを含み、前記第一の引手の一端が前記第一のスライダーロックの前記第二のジップスライダーに近い一端に接続された第一のジップスライダーと、
第二のスライダーロックと第二の引手とを含み、前記第二の引手の一端が前記第二のスライダーロックの前記第一のジップスライダーに近い一端に接続された第二のジップスライダーと、を備え、
前記第一のスライダーロックと前記第二のスライダーロックが隣接して位置する時、前記第一のスライダーロックと前記第二のスライダーロックは互いに密接してロックされることが可能になり、
前記第一の引手と前記第二の引手は、それぞれ前記第一のスライダーロックと前記第二のスライダーロックの外面に当接可能である、
ジップスライダーロック。
【請求項８】
第一のスライダーロックと第一の引手とを含み、前記第一の引手の一端が前記第一のスライダーロックの一端に接続された第一のジップスライダーと、
第二のスライダーロックと第二の引手とを含み、前記第二の引手の一端が前記第二のスライダーロックの一端に接続された第二のジップスライダーと、を備え、
前記第一のスライダーロックと前記第二のスライダーロックが隣接して位置する時、前記第一のスライダーロックと前記第二のスライダーロックとは互いに密接してロックされることが可能になる、
ジップスライダーロック。
【請求項９】
前記第一のスライダーロックの一端面には、第一のピンが設けられ、前記第二のスライダーロックの一端面には、前記第一のピンと対応する第二のロック穴を有しており、
前記第一のスライダーロックと前記第二のスライダーロックとが互いに密接する時、前記第一のピンは前記第二のロック穴に挿入され、前記第二のスライダーロックによりロックされることが可能になる、請求項8に記載のジップスライダーロック。
【請求項１０】
第一のスライダーと第一の引手ロックとを含み、前記第一の引手ロックの一端が前記第一のスライダーの一端に接続された第一のジップスライダーと、
第二のスライダーと第二の引手ロックとを含み、前記第二の引手ロックの一端が前記第二のスライダーの一端に接続された第二のジップスライダーと、
固定部材と、を備え、
前記第一のスライダーと前記第二のスライダーが隣接して位置する時、前記第一の引手ロックと前記第二の引手ロックが互いに密接可能になり、前記固定部材の互いに対向する両端がそれぞれ前記第一の引手ロックと前記第二の引手ロックに挿入され、それぞれ前記第一の引手ロックと前記第二の引手ロックによりロックされることが可能になる、
ジップスライダーロック。
【請求項１１】
第一のジップスライダー及び第二のジップスライダーと併用され、前記第一のジップスライダーは、第一のスライダーと第一の引手とを含み、前記第二のジップスライダーは、第二のスライダーと第二の引手とを含み、前記第一のスライダーは第一の固定リングを有し、前記第一の引手は、第一の固定リングに接続され、前記第二のスライダーは第二の固定リングを有し、前記第二の引手は、前記第二の固定リングに接続されたジップスライダーロックであって、
第一のロック部と、第二のロック部と、固定部材とを含み、前記第一のロック部は、第一のAロック穴と第一のBロック穴を有し、前記第二のロック部は、第二のAロック穴と第二のBロック穴を有し、前記固定部材の両側には、第一の固定部と第二の固定部を有し、前記第一のロック部と、前記第二のロック部と、前記固定部材とは、前記第一の固定部と前記第二の固定部をそれぞれ前記第一のAロック穴と前記第二のAロック穴に進入させ、それぞれ前記第一のロック部と前記第二のロック部によりロックするように互いに密接できるロックと、
前記第一のスライダーと前記第二のスライダーが隣接して位置する時、一端が前記第一のBロック穴に貫入し、前記第一のロック部によりロックされることが可能になり、他端が前記第一の固定リングと前記第二の固定リングを通して前記第二のBロック穴に貫入し、前記第二のロック部によりロックされることが可能になるロープ状物と、
を備えている、ジップスライダーロック。
【請求項１２】
第一の端面と、第二の端面と、囲繞面とを含み、前記第一の端面に近い一端が前記囲繞面から内向きに凹んで第一の凹部を形成しているロックボディと、
外力の押圧によって前記ロックボディに進入できるように前記第二の端面に設けられた押圧部と、
前記ロックボディ内に設けられ、前記押圧部と連動する栓部と、を備え、
前記押圧部が前記外力の押圧によって前記ロックボディに進入する時、前記栓部は前記ロックボディから前記第一の凹部へ突出し、前記第一の凹部を閉塞する、
ジップスライダーロック。
【請求項１３】
第一のロック部と第二のロック部とを含むロックと、
互いに対向する両端がそれぞれ前記第一のロック部と前記第二のロック部に進入し、それぞれ前記第一のロック部と前記第二のロック部によりロックされることができるレバーと、
を備えている、ジップスライダーロック。
【請求項１４】
第一のスライダーと一端が前記第一のスライダーに接続された第一の引手とを含む第一のジップスライダーと、
第二のスライダーと一端が前記第二のスライダーに接続された第二の引手とを含み、前記第一のスライダーと前記第二のスライダーが隣接して位置する時、前記第一の引手と前記第二の引手は、互いに一側辺で密接する第二のジップスライダーと、
その一端には、第一のロック穴を有するロックボディと、を備え、
前記第一のスライダーと前記第二のスライダーが隣接して位置する時、前記第一の引手と前記第二の引手は、それぞれ前記第一のロック穴に挿入され、前記ロックボディによりロックされることが可能になる、
ジップスライダーロック。
【考案の詳細な説明】
【技術分野】
【０００１】
本発明は、ジップスライダーロックに関する。
【背景技術】
【０００２】
ラゲージの安全を保障するために、外出時に、ロックによってケースのファスナーをロックすることが多い。ケースには、スーツケース、キャリーケース及びブリーフケースが含まれているが、これらに限定されない。一般的なロックには、ダイヤル錠やカギ錠などが含まれている。使用者はダイヤル錠のダイヤルホイールを正しい解錠パスワードの位置に回したり、キーを挿入したりするなどにより、解錠してケースを開ける。
【考案の概要】
【０００３】
本発明は、好適な使用利便性を有するジップスライダーロックを提供することを目的とする。
一実施例において、ジップスライダーロックは、第一のジップスライダーと、第二のジップスライダーと、ロックボディとを備えている。第一のジップスライダーは、第一のスライダーと第一の引手とを含み、第一の引手の一端は、第一のスライダーに接続されている。第二のジップスライダーは、第二のスライダーと第二の引手とを含み、第二の引手の一端は、第二のスライダーに接続されている。ロックボディはロック穴を有し、第一の引手と第二の引手がロック穴からロックボディに挿入され、ロックボディによりロックされることが可能になる。
【０００４】
一実施例において、第一の引手の他端は、第一の通り穴を有する。第二の引手の他端は、第二の通り穴を有する。ロックボディの一端は、第一のロック穴と第二のロック穴とを有し、第一のロック穴の開口と第二のロック穴の開口とは、互いに平行する。第一のスライダーと第二のスライダーがX-Y平面において隣接して位置する時、第一の引手と第二の引手は、X-Y平面に平行し、第一の引手は、第二の引手の少なくとも一部を覆い、第一の通り穴と第二の通り穴のX-Y平面への投影の少なくとも一部が重なる。第一のスライダーと第二のスライダーがX-Y平面において隣接して位置する時、第一の引手と第二の引手は、それぞれ第一のロック穴と第二のロック穴に挿入され、ロックボディによりロックされることが可能になる。
【０００５】
一実施例において、第一の引手の他端は、第一の通り穴を有する。第二の引手の他端は、第二の通り穴を有する。ロックボディの一端は、第一のロック穴と第二のロック穴とを有し、第一のロック穴の開口と第二のロック穴の開口とは、互いに平行する。第一のスライダーと第二のスライダーがX-Y平面において隣接して位置する時、第一の引手と第二の引手は、X-Z平面に平行する。第一の引手と第二の引手は、それぞれ第一のロック穴と第二のロック穴に挿入可能になる。
【０００６】
一実施例において、第一のスライダーと第二のスライダーがX-Y平面において隣接して位置する時、第一の引手と第二の引手は、X-Y平面に対して垂直であり、第一の引手と第二の引手とは、少なくとも一部が当接する。
【０００７】
一実施例において、第一の引手と第二の引手が当接することにより円柱体が形成される。第一の引手と第二の引手の外周面には、それぞれ第一の位置決めねじと第二の位置決めねじを有する。ロックボディの内部には、位置決め部材を有する。位置決め部材は、第一の位置決めねじ及び第二の位置決めねじと係合可能である。
【０００８】
一実施例において、ジップスライダーロックは、第一のジップスライダーと、第二のジップスライダーと、固定部材とを備えている。第一のジップスライダーは、第一のスライダーロックと第一の引手とを含み、第一のスライダーロックの一端には、第一のスライダーロック穴を有し、他端が第一の引手に接続されている。第二のジップスライダーは、第二のスライダーロックと第二の引手とを含み、第二のスライダーロックの一端には、第二のスライダーロック穴を有し、他端が第二の引手に接続されている。固定部材は、対向する両端に設けられた第一の固定部と第二の固定部とを含む。第一のスライダーロックと第二のスライダーロックが隣接して位置する時、第一のスライダーロックと、固定部材と、第二のスライダーロックとは互いに密接し、固定部材は、第一のスライダーロックと第二のスライダーロックとの間に位置する。第一の固定部と第二の固定部は、それぞれ第一のスライダーロック穴と第二のスライダーロック穴に挿入され、それぞれ第一のスライダーロックと第二のスライダーロックによりロックされることが可能になる。
【０００９】
一実施例において、ジップスライダーロックは、第一のジップスライダーと第二のジップスライダーとを備えている。第一のジップスライダーは、第一のスライダーロックと第一の引手とを含み、第一の引手の一端は、第一のスライダーロックの第二のジップスライダーに近い一端に接続されている。第二のジップスライダーは、第二のスライダーロックと第二の引手とを含み、第二の引手の一端は、第二のスライダーロックの第一のジップスライダーに近い一端に接続されている。第一のスライダーロックと第二のスライダーロックが隣接して位置する時、第一のスライダーロックと第二のスライダーロックとは互いに密接してロックされることが可能になる。第一の引手と第二の引手は、それぞれ第一のスライダーロックと第二のスライダーロックの外面に当接可能である。
【００１０】
一実施例において、ジップスライダーロックは、第一のジップスライダーと第二のジップスライダーとを備えている。第一のジップスライダーは、第一のスライダーロックと第一の引手とを含み、第一の引手の一端は、第一のスライダーロックの一端に接続されている。第二のジップスライダーは、第二のスライダーロックと第二の引手とを含み、第二の引手の一端は、第二のスライダーロックの一端に接続されている。第一のスライダーロックと第二のスライダーロックが隣接して位置する時、第一のスライダーロックと第二のスライダーロックとは互いに密接してロックされることが可能になる。
【００１１】
一実施例において、第一のスライダーロックの一端面には、第一のピンが設けられ、第二のスライダーロックの一端面には、第一のピンに対応する第二のロック穴を有する。第一のスライダーロックと第二のスライダーロックとが互いに密接する時、第一のピンは第二のロック穴に挿入され、第二のスライダーロックによりロックされることが可能になる。
【００１２】
一実施例において、ジップスライダーロックは第一のジップスライダーと、第二のジップスライダーと、固定部材とを備えている。第一のジップスライダーは、第一のスライダーと第一の引手ロックとを含み、第一の引手ロックの一端は、第一のスライダーの一端に接続されている。第二のジップスライダーは第二のスライダーと第二の引手ロックとを含み、第二の引手ロックの一端は、第二のスライダーの一端に接続されている。第一のスライダーと第二のスライダーが隣接して位置する時、第一の引手ロックと第二の引手ロックとは互いに密接することが可能になる。固定部材の互いに対向する両端は、それぞれ第一の引手ロックと第二の引手ロックに挿入され、それぞれ第一の引手ロックと第二の引手ロックによりロックされることが可能になる。
【００１３】
一実施例において、ジップスライダーロックは、第一のジップスライダー及び第二のジップスライダーと併用される。第一のジップスライダーは、第一のスライダーと第一の引手とを含む。第二のジップスライダーは、第二のスライダーと第二の引手とを含む。第一のスライダーは、第一の固定リングを有し、第一の引手は、第一の固定リングに接続されている。第二のスライダーは、第二の固定リングを有し、第二の引手は、第二の固定リングに接続されている。ジップスライダーロックは、ロックとロープ状物とを備えている。ロックは、第一のロック部と、第二のロック部と、固定部材とを含む。第一のロック部は、第一のAロック穴と第一のBロック穴とを有する。第二のロック部は、第二のAロック穴と第二のBロック穴とを有する。固定部材の両側には、第一の固定部と第二の固定部とを有する。第一のロック部と、第二のロック部と、固定部材とは、第一の固定部と第二の固定部を、それぞれ第一のAロック穴と第二のAロック穴に進入させ、それぞれ第一のロック部と第二のロック部によりロックするように互いに密接できる。第一のスライダーと第二のスライダーが隣接して位置する時、ロープ状物の一端が第一のBロック穴に貫入し、第一のロック部によりロックされることが可能になり、ロープ状物の他端が第一の固定リングと第二の固定リングを通してから第二のBロック穴に貫入し、第二のロック部によりロックされることが可能になる。
【００１４】
一実施例において、ジップスライダーロックは、ロックボディと、押圧部と、栓部とを備えている。ロックボディは、第一の端面と、第二の端面と、囲繞面とを含む。ロックボディの第一の端面に近い一端は、囲繞面から内向きに凹んで第一の凹部を形成している。押圧部は、外力の押圧によってロックボディに進入するように第二の端面に設けられている。栓部はロックボディ内に設けられ、押圧部と連動する。押圧部が外力の押圧によってロックボディに進入する時、栓部はロックボディから第一の凹部へ突出し、第一の凹部を閉塞する。
【００１５】
一実施例において、ジップスライダーロックは、ロックとレバーとを備えている。ロックは、第一のロック部と第二のロック部とを含む。レバーの互いに対向する両端は、それぞれ第一のロック部と第二のロック部に進入し、それぞれ第一のロック部と第二のロック部によりロックされることができる。
【００１６】
一実施例において、ジップスライダーロックは、第一のジップスライダーと、第二のジップスライダーと、ロックボディとを備えている。第一のジップスライダーは、第一のスライダーと第一の引手とを含み、第一の引手の一端は、第一のスライダーに接続されている。第二のジップスライダーは、第二のスライダーと第二の引手とを含み、第二の引手の一端は、第二のスライダーに接続されている。第一のスライダーと第二のスライダーが隣接して位置する時、第一の引手と第二の引手とは、互いに一側辺で密接する。ロックボディの一端には、第一のロック穴を有する。第一のスライダーと第二のスライダーが隣接して位置する時、第一の引手と第二の引手は、それぞれ第一のロック穴に挿入され、ロックボディによりロックされることが可能になる。
【図面の簡単な説明】
【００１７】
【図１Ａ】本発明の実施例の模式図である。
【図１Ｂ】本発明の実施例の模式図である。
【図１Ｃ】本発明の実施例の模式図である。
【図１Ｄ】本発明の実施例の模式図である。
【図１Ｅ】本発明の実施例の模式図である。
【図１Ｆ】本発明の実施例の模式図である。
【図１Ｇ】本発明の実施例の模式図である。
【図１Ｈ】本発明の実施例の模式図である。
【図１Ｉ】本発明の実施例の模式図である。
【図２Ａ】本発明の他の実施例の模式図である。
【図２Ｂ】本発明の他の実施例の模式図である。
【図２Ｃ】本発明の他の実施例の模式図である。
【図３Ａ−３Ｃ】図3A〜3Cは、本発明の他の実施例の模式図である。
【図４Ａ−４Ｅ】図4A〜4Eは、本発明の他の実施例の模式図である。
【図５Ａ】本発明の他の実施例の模式図である。
【図５Ｂ】本発明の他の実施例の模式図である。
【図６Ａ】本発明の他の実施例の模式図である。
【図６Ｂ】本発明の他の実施例の模式図である。
【図６Ｃ】本発明の他の実施例の模式図である。
【図６Ｄ】本発明の他の実施例の模式図である。
【図６Ｅ】本発明の他の実施例の模式図である。
【図７Ａ】本発明の他の実施例の模式図である。
【図７Ｂ】本発明の他の実施例の模式図である。
【図７Ｃ】本発明の他の実施例の模式図である。
【図７Ｄ】本発明の他の実施例の模式図である。
【図８】本発明の他の実施例の模式図である。
【図９Ａ】本発明の他の実施例の模式図である。
【図９Ｂ】本発明の他の実施例の模式図である。
【図９Ｃ】本発明の他の実施例の模式図である。
【図９Ｄ】本発明の他の実施例の模式図である。
【図９Ｅ】本発明の他の実施例の模式図である。
【図９Ｆ】本発明の他の実施例の模式図である。
【図９Ｇ】本発明の他の実施例の模式図である。
【図１０Ａ】本発明の他の実施例の模式図である。
【図１０Ｂ】本発明の他の実施例の模式図である。
【図１０Ｃ】本発明の他の実施例の模式図である。
【図１０Ｄ】本発明の他の実施例の模式図である。
【図１０Ｅ】本発明の他の実施例の模式図である。
【図１１Ａ】本発明の他の実施例の模式図である。
【図１１Ｂ】本発明の他の実施例の模式図である。
【図１１Ｃ】本発明の他の実施例の模式図である。
【図１１Ｄ】本発明の他の実施例の模式図である。
【図１１Ｅ】本発明の他の実施例の模式図である。
【図１１Ｆ】本発明の他の実施例の模式図である。
【図１１Ｇ】本発明の他の実施例の模式図である。
【考案を実施するための形態】
【００１８】
図1Aに示す実施例では、本発明に係るジップスライダーロックは、第一のジップスライダー100と、第二のジップスライダー200と、ロックボディ300とを備えている。第一のジップスライダー100は、第一のスライダー110と第一の引手120とを含み、第一の引手120の一端121は、第一のスライダー110に接続され、第一の引手120の他端122には、第一の通り穴124を有する。第二のジップスライダー200は、第二のスライダー210と第二の引手220とを含み、第二の引手220の一端221は、第二のスライダー210に接続され、第二の引手220の他端222には、第二の通り穴224を有する。図1Aに示すように、第一のスライダー110と第二のスライダー210がX-Y平面において隣接して位置する時、図1A〜図1Cに示すように、第一の引手120と第二の引手220は、X-Y平面に平行し、第一の引手120は、第二の引手220の少なくとも一部を覆い、第一の通り穴124と第二の通り穴224のX-Y平面への投影の少なくとも一部が重なる。
【００１９】
図1D及び1Eに示すように、ロックボディ300の一端301には、第一のロック穴310と第二のロック穴320とを有する。第一のロック穴310と第二のロック穴320の開口は、互いに平行する。図1Fに示すように、第一のスライダー110と第二のスライダー210がX-Y平面において隣接して位置する時、第一の引手120と第二の引手220は、それぞれ第一のロック穴310と第二のロック穴320に挿入され、ロックボディ300によりロックされることが可能になる。具体的には、ロックボディ300の内部には、位置決めピンを有し、第一の引手120と第二の引手220がそれぞれ第一のロック穴310と第二のロック穴320に挿入された後、位置決めピンは第一の通り穴と第二の通り穴を通すことが可能になる。施錠時、ロックボディ300により、位置決めピンが第一の通り穴と第二の通り穴から離間することが規制され、第一の引手120と第二の引手220が第一のロック穴310と第二のロック穴320から離間することが規制され、さらに第一のジップスライダー100と第二のジップスライダー200が互いに離れることが規制される。解錠時、ロックボディ300による位置決めピンが第一の通り穴と第二の通り穴から離間することに対する規制が解除され、位置決めピンが第一の通り穴と第二の通り穴から離間することが可能になり、第一の引手120と第二の引手220が第一のロック穴310と第二のロック穴320から離間することが可能になり、さらに第一のジップスライダー100と第二のジップスライダー200が互いに離れることが可能になる。図1Gに示すように、好ましい実施例において、ロックボディ300の他端302には、第三のロック穴330を有し、税関などの法執行機関はメーカーにより提供したキーを第三のロック穴330に挿入して解錠してもよい。
【００２０】
他の実施例において、第一のスライダーと第二のスライダーとが隣接する時、第一の引手と第二の引手がX-Y平面に平行することに限定されない。より具体的には、図1H及び1Iに示す実施例では、第一のスライダー110と第二のスライダー210がX-Y平面において隣接して位置する時、第一の引手120と第二の引手220は、X-Z平面に平行する。この時、第一のロック穴と第二のロック穴の開口の方向を調整することだけで、例えば、ロックボディを回転したり、ロック穴の設置方向を変更したりすることで、第一の引手と第二の引手をそれぞれ第一のロック穴と第二のロック穴に挿入することができる。
【００２１】
図2A〜2Cに示す実施例では、本発明に係るジップスライダーロック2800は、第一のジップスライダー2100と、第二のジップスライダー2200と、ロックボディ2300とを備えている。第一のジップスライダー2100は、第一のスライダー2110と第一の引手2120とを含み、第一の引手2120の一端2121は、第一のスライダー2110に接続されている。第二のジップスライダー2200は、第二のスライダー2210と第二の引手2220とを含み、第二の引手2220の一端2221は、第二のスライダー2210に接続されている。図2B及び2Cに示すように、第一のスライダー2110と第二のスライダー2210がX-Y平面において隣接して位置する時、第一の引手2120と第二の引手2220は、X-Y平面に対して垂直であり、第一の引手2120と第二の引手2220とは、少なくとも一部が当接する。
【００２２】
ロックボディ2300の一端2301には、第一のロック穴を有する。図2B及び2Cに示す実施例では、第一のスライダー2110と第二のスライダー2210がX-Y平面において隣接して位置する時、ロックボディ2300は、第一の引手2120と第二の引手2220とをともに第一のロック穴2310に挿入させ（図2Cを参照）、ロックボディ2300によりロックするように、その一端2301を第一の引手2120と第二の引手2220に向けることが可能になる。好ましい実施例では、第一の引手2120と第二の引手2220が当接することにより円柱体を形成できる。第一の引手2120と第二の引手2220の外周面には、それぞれに第一の位置決めねじ2124と第二の位置決めねじ2224を有してもよく、ロックボディ2300の内部には、位置決め部材を有する。施錠時、位置決め部材が第一の位置決めねじ2124及び第二の位置決めねじ2224と係合可能になり、第一の引手2120と第二の引手2220が第一のロック穴2310から離間することが規制され、さらに第一のジップスライダー2100と第二のジップスライダー2200が互いに離れることが規制される。解錠時、ロックボディ2300から位置決め部材と第一の位置決めねじ2124及び第二の位置決めねじ2224との係合が解除され、第一の引手2120と第二の引手2220が第一のロック穴2310から離間することが可能になり、さらに第一のジップスライダー2100と第二のジップスライダー2200が互いに離れることが可能になる。図2Bに示すように、好ましい実施例において、ロックボディ2300の他端2302には、第三のロック穴2330を有し、税関などの法執行機関はメーカーにより提供したキーを第三のロック穴2330に挿入して解錠してもよい。
【００２３】
他の実施例において、第一の引手と第二の引手が当接して円柱体を形成することに限定されない。図3Aに示す実施例では、第一の引手3120と第二の引手3220は、それぞれ第一の通り穴3124と第二の通り穴3224を有し、ロックボディ3300の内部には、位置決めピンを有し、第一の引手3120が第二の引手3220とともにロックボディ3300の一端3301にある第一のロック穴3310に挿入された後、位置決めピン3340は、第一の通り穴3124と第二の通り穴3224を通すことが可能になる。施錠時、ロックボディ3300により、位置決めピン3340が第一の通り穴3124と第二の通り穴3224から離間することが規制され、第一の引手3120と第二の引手3220が第一のロック穴3310から離間することが規制され、さらに第一のジップスライダー3100と第二のジップスライダー3200が互いに離れることが規制される。解錠時、ロックボディ3300による位置決めピンが第一の通り穴3124と第二の通り穴3224から離間することに対する規制が解除され、位置決めピンが第一の通り穴3124と第二の通り穴3224から離間することが可能になり、第一の引手3120と第二の引手3220が第一のロック穴3310から離間することが可能になり、さらに第一のジップスライダー3100と第二のジップスライダー3200が互いに離れることが可能になる。好ましい実施例において、ロックボディ3300の他端3302には、第三のロック穴3330を有し、税関などの法執行機関はメーカーにより提供したキーを第三のロック穴3330に挿入して解錠してもよい。一方、ロックボディ3300の他端3302に近い部位には、ロックボディ3300を施錠及び解錠するように回転する捻回装置3340をさらに有する。
【００２４】
図4A〜4Eに示す実施例では、本発明に係るジップスライダーロックは、第一のジップスライダー4100と、第二のジップスライダー4200と、固定部材6000とを備えている。図4A〜4Eに示す実施例では、第一のジップスライダー4100は、第一のスライダーロック4110と第一の引手4120とを含む。第一のスライダーロック4110の一端には、第一のスライダーロック穴4114を有し、他端が該第一の引手4120に接続されている。第二のジップスライダー4200は、第二のスライダーロック4210と第二の引手4220とを含む。第二のスライダーロック4210の一端には、第二のスライダーロック穴4214を有し、他端が該第二の引手4220に接続されている。固定部材6000は、対向する両端に設けられた第一の固定部6100と第二の固定部6200を含む。第一のスライダーロック4110と第二のスライダーロック4210が隣接して位置する時、第一のスライダーロック4110と、固定部材6000と、第二のスライダーロック4210とは、互いに密接できる。固定部材6000は、第一のスライダーロック4110と第二のスライダーロック4210との間に位置し、第一の固定部6100と第二の固定部6200は、それぞれ第一のスライダーロック穴4114と第二のスライダーロック穴4214に挿入され、それぞれ第一のスライダーロック4110と第二のスライダーロック4210によりロックされることが可能になる。
【００２５】
具体的には、第一のスライダーロック4110と第二のスライダーロック4210は、内部には、それぞれ位置決めピンを有する。第一の固定部6100と第二の固定部6200がそれぞれ第一のスライダーロック穴4114と第二のスライダーロック穴4214に挿入された後、位置決めピンは、それぞれ第一の固定部6100と第二の固定部6200を通すことが可能になる。施錠時、第一のスライダーロック4110と第二のスライダーロック4210により、その内部の位置決めピンが第一の固定部6100と第二の固定部6200から離間することがそれぞれ規制され、第一の固定部6100と第二の固定部6200が第一のスライダーロック穴4114と第二のスライダーロック穴4214から離間することが規制され、さらに第一のスライダーロック4110、固定部材6000及び第二のスライダー4220が互いに分離することが規制される。解錠時、第一のスライダーロック4110と第二のスライダーロック4210から、位置決めピンが第一の固定部6100と第二の固定部6200から離間することに対する規制がそれぞれ解除され、位置決めピンが第一の固定部6100と第二の固定部6200から離間することが可能になり、第一の固定部6100と第二の固定部6200が、第一のスライダーロック穴4114と第二のスライダーロック穴4214から離間することが可能になり、さらに第一のスライダーロック4110と、固定部材6000と、第二のスライダー4220とが互いに離れることが可能になる。好ましい実施例において、第一のスライダーロック4110は、TSAロックのキーシリンダを有し、第一のスライダーロック4110は、第三のロック穴4330を有し、税関などの法執行機関はメーカーにより提供したキーを第三のロック穴4330に挿入して解錠してもよい。
【００２６】
図5A及び図5Bに示す実施例では、本発明に係るジップスライダーロック5800は、第一のジップスライダー5100と第二のジップスライダー5200とを備えている。第一のジップスライダー5100は、第一のスライダーロック5110と第一の引手5120とを含み、第一の引手5120の一端5121は、第一のスライダーロック5110の第二のジップスライダー5200に近い一端に接続されている。第二のジップスライダー5200は、第二のスライダーロック5210と第二の引手5220とを含み、第二の引手5220の一端5221は、第二のスライダーロック5210の第一のジップスライダー5100に近い一端に接続されている。第一のスライダーロック5110と第二のスライダーロック5210が隣接して位置する時、第一のスライダーロック5110と第二のスライダーロック5210とは互いに密接してロックされることが可能になる。ただし、図5Bに示すように、第一の引手5120と第二の引手5220は、それぞれ第一のスライダーロック5110と第二のスライダーロック5210の外面に当接可能である。
【００２７】
より具体的には、第一の引手5120と第二の引手5220は、それぞれ第一のスライダーロック5110と第二のスライダーロック5210の外面に当接可能であることによって、第一のジップスライダー5100と第二のジップスライダー5200の全体の体積を小さくすることができ、外観をより簡素かつ美観にすることができる。一方、図5A及び5Bに示す実施例では、第二のスライダーロック5210はダイヤル錠であり、第二の引手5220が第二のスライダーロック5210に当接する時、数字ホイール5218の少なくとも一部を覆うことができ、数字ホイール5218を保護する作用を果たす。好ましい実施例において、第一のスライダーロック5110は、TSAロックのキーシリンダを有し、第一のスライダーロック5110の第二のスライダーロック5210に対向する他端には、第三のロック穴を有し、税関などの法執行機関はメーカーにより提供したキーを第三のロック穴に挿入して解錠してもよい。他の実施例において、第一の引手5120の一端5121は、第一のスライダーロック5110の第二のジップスライダー5200から離れた一端に接続可能であり、第二の引手5220の一端5221は、第二のスライダーロック5210の第一のジップスライダー5100から離れた一端に接続可能である。
【００２８】
図6A及び6Bに示す実施例では、本発明に係るジップスライダーロックは、第一のジップスライダー6100と第二のジップスライダー6200とを備えている。第一のジップスライダー6100は、第一のスライダーロック6110と第一の引手6120とを含み、第一の引手6120の一端6121は、第一のスライダーロック6110の一端に接続されている。第二のジップスライダー6200は、第二のスライダーロック6210と第二の引手6220とを含み、第二の引手6220の一端6221は、第二のスライダーロック6210の一端に接続されている。第一のスライダーロック6110と第二のスライダーロック6210が隣接して位置する時、第一のスライダーロック6110と第二のスライダーロック6210とは互いに密接してロックされることが可能になる。より具体的には、図6Cに示す実施例では、第一のスライダーロック6110の一端面6111には、第一のピン6114が設けられ、第二のスライダーロック6210の一端面6211には、第一のピン6114と対応する第二のロック穴6216を有し、第一のスライダーロック6110と第二のスライダーロック6210とが互いに密接する時、第一のピン6114は第二のロック穴6216に挿入され、第二のスライダーロック6210によりロックされることが可能になる。図6Dに示す他の実施例では、第二のスライダーロック6210の一端面6211には、第二のピン6214が設けられ、第一のスライダーロック6110の一端面6111には、第二のピン6214と対応する第一のロック穴6116を有し、第一のスライダーロック6110と第二のスライダーロック6210とが互いに密接する時、第二のピン6214は第一のロック穴6116に挿入され、第一のスライダーロック6110によりロックされることが可能になる。一方、図6Eに示す実施例では、第二のスライダーロック6210はダイヤル錠であり、数字ホイール6218が第二のスライダーロック6210の側辺6219に並ぶことで、方向6400からの衝突を少なくする。好ましい実施例において、第一のスライダーロック6110は、TSAロックのキーシリンダを有し、第一のスライダーロック6110は第三のロック穴6330を有し、税関などの法執行機関はメーカーにより提供したキーを第三のロック穴6330に挿入して解錠してもよい。
【００２９】
図7Aに示す実施例では、本発明に係るジップスライダーロックは、第一のジップスライダー7100と、固定部材7600と、第二のジップスライダー7200とを備えている。第一のジップスライダー7100は、第一のスライダー7110と第一の引手ロック7120とを含み、第一の引手ロック7120の一端7121は、第一のスライダー7110の一端に接続されている。第二のジップスライダー7200は、第二のスライダー7210と第二の引手ロック7220とを含み、第二の引手ロック7220の一端7221は、第二のスライダー7210の一端に接続されている。図7Bに示すように、第一のスライダー7110と第二のスライダー7210が隣接して位置する時、第一の引手ロック7120と第二の引手ロック7220とは互いに密接することが可能になり、固定部材6000の互いに対向する両端は、それぞれ第一の引手ロック7120と第二の引手ロック7220に挿入され、それぞれ第一の引手ロック7120と第二の引手ロック7220によりロックされることが可能になる。さらに、固定部材6000は、それぞれ図7C及び図7Dに示すように、単独で第一の引手ロック7120によりロックされても、又は、単独で第二の引手ロック7220によりロックされても、第一のスライダー7110と第二のスライダー7210とを互いに離す可能である。好ましい実施例において、第二の引手ロック7220は、TSAロックのキーシリンダを有し、第二の引手ロック7220は第三のロック穴7330を有し、税関などの法執行機関はメーカーにより提供したキーを第三のロック穴7330に挿入して解錠してもよい。
【００３０】
図8に示す実施例では、本発明に係るジップスライダーロックは第一のジップスライダー8100及び第二のジップスライダー8200と併用され、ロック8400とロープ状物8600とを備えている。第一のジップスライダー8100は、第一のスライダー8110と第一の引手8120とを含む。第二のジップスライダー8200は、第二のスライダー8210と第二の引手8220とを含む。第一のスライダー8110は第一の固定リング8111を有し、第一の引手8120は、第一の固定リング8111に接続されている。第二のスライダー8210は第二の固定リング8211を有し、第二の引手8220は、第二の固定リング8211に接続されている。ロック8400は、第一のロック部8410と、第二のロック部8420と、固定部材8430とを備えている。第一のロック部8410は、第一のAロック穴と第一のBロック穴8412とを有する。第二のロック部8420は、第二のAロック穴8421と第二のBロック穴8422とを有する。固定部材8430の両側には、第一の固定部8431と第二の固定部8432とを有する。第一のロック部8410と、第二のロック部8420と、固定部材8430とは、第一の固定部8431と第二の固定部8432をそれぞれ第一のAロック穴と第二のAロック穴8421に進入させ、それぞれ第一のロック部8410及び第二のロック部8420によりロックするように、互いに密接することができる。第一のスライダー8110と第二のスライダー8210が隣接して位置する時、ロープ状物8600の一端は、第一のBロック穴8412に貫入し、第一のロック部8410によりロックされることが可能になり、ロープ状物8600の他端は、第一の固定リング8111と第二の固定リング8211を通して第二のBロック穴8422に貫入し、第二のロック部8420によりロックされることが可能になる。これにより、ロープ状物8600により、第一のスライダー8110と第二のスライダー8210が互いに離れることを規制することできる。好ましい実施例において、第一のロック部8410は、TSAロックのキーシリンダを有し、第一のロック部8410は第三のロック穴8430を有し、税関などの法執行機関はメーカーにより提供したキーを第三のロック穴8430に挿入して解錠してもよい。
【００３１】
図9Aに示す実施例では、本発明に係るジップスライダーロックは、ロックボディ9100と、押圧部9200と、栓部9300とを備えている。ロックボディ9100は、第一の端面9110と、第二の端面9120と、囲繞面9130とを含む。ロックボディ9100の第一の端面9110に近い一端は、囲繞面9130から内向きに凹んで第一の凹部9131を形成する。押圧部9200は、外力の押圧によってロックボディ9100に進入するように第二の端面9120に設けられ、栓部9300はロックボディ9100内に設けられ、押圧部9200と連動する。押圧部9200が外力の押圧によってロックボディ9100に進入する時、栓部9300はロックボディ9100から第一の凹部9131へ突出し、図9Eに示すように、第一の凹部9131を閉塞することが可能になる。ただし、図9C〜9Fは、ジップスライダーロックの異なる角度からの模式図である。
【００３２】
より具体的には、図9Gに示すように、第一のスライダー9910は第一の固定リング9911を有し、第二のスライダー9920は第二の固定リング9921を有する。第一のスライダー9910と第二のスライダー9920が隣接して位置する時、第一の固定リング9911と第二の固定リング9921は、両方の通り穴を合わせて通路を形成するように重なる。使用者は、ジップスライダーロックを移動して、第一の固定リング9911と第二の固定リング9921を第一の凹部9131に進入させ、押圧部9200を押圧してロックボディ9100に進入させ、栓部9300を第一の固定リング9911と第二の固定リング9921を通すようにロックボディ9100から第一の凹部9131へ突出させ、さらにロックボディ9100により栓部9300をロックすることができる。これにより、栓部9300により、第一のスライダー9910と第二のスライダー9920が互いに離れることを規制することできる。好ましい実施例において、ロックボディ9100は、TSAロックのキーシリンダを有し、ロックボディ9100は第三のロック穴9930を有し、税関などの法執行機関はメーカーにより提供したキーを第三のロック穴9930に挿入して解錠してもよい。
【００３３】
図10A〜10Eに示す実施例では、本発明に係るジップスライダーロックは、ロック8700とレバー8800とを備えている。ロック8700は、第一のロック部8710と第二のロック部8720とを含む。レバー8800の互いに対向する両端は、それぞれ第一のロック部8710と第二のロック部8720に進入し、それぞれ第一のロック部8710と第二のロック部8720によりロックされる。図10Dに示すように、ジップスライダーロックは第一のスライダー8910と第二のスライダー8920と併用される。第一のスライダー8910は、第一の固定リング8911を有し、第二のスライダー8920は、第二の固定リング8921を有する。第一のスライダー8910と第二のスライダー8920が隣接して位置する時、第一の固定リング8911と第二の固定リング8921は両方の通り穴を合わせて通路を形成するように重なる。使用者は、レバー8800を第一の固定リング8911と第二の固定リング8921に通させ、レバー8800の互いに対向する両端をそれぞれ第一のロック部8710と第二のロック部8720に進入させ、さらにそれぞれ第一のロック部8710と第二のロック部8720によりロックすることができる。これにより、レバー8800により、第一のスライダー8910と第二のスライダー8920が互いに離れることを規制することができる。好ましい実施例において、第一のロック部8710は、TSAロックのキーシリンダを有し、第一のロック部8710は第三のロック穴8730を有し、税関などの法執行機関はメーカーにより提供したキーを第三のロック穴8730に挿入して解錠してもよい。
【００３４】
図11A及び11Bに示す実施例では、本発明に係るジップスライダーロックは、第一のジップスライダー1100と、第二のジップスライダー1200と、ロックボディ1300とを備えている。第一のジップスライダー1100は、第一のスライダー1110と第一の引手1120とを含み、第一の引手1120の一端1121は、第一のスライダー1110に接続されている。第二のジップスライダー1200は、第二のスライダー1210と第二の引手1220とを含み、第二の引手1220の一端1221は、第二のスライダー1210に接続されている。第一のスライダー1110と第二のスライダー1210が隣接して位置する時、第一の引手1120と第二の引手1220は、互いに一側辺で密接する。
【００３５】
図11A及び11Bに示すように、ロックボディ1300の一端には、第一のロック穴1310を有する。第一のスライダー1110と第二のスライダー1210が隣接して位置する時、第一の引手1120と第二の引手1220は、それぞれに第一のロック穴1310に挿入され、ロックボディ1300によりロックされることが可能になり、さらに第一のジップスライダー1100と第二のジップスライダー1200が互いに離れることが規制される。一実施例において、ロックボディ1300はダイヤル錠であり、ロックボディ1300の第一の側面1301と第二の側面1302のいずれにも、数字ホイール1308が露出されている。ロックボディ1300の第二の側面1302には、第三のロック穴1330をさらに有し、税関などの法執行機関はメーカーにより提供したキーを第三のロック穴1330に挿入して解錠してもよい。また、図11C〜11Gは、ジップスライダーロックの異なる角度からの模式図である。
【００３６】
上記した説明及び図式には、本発明の好ましい実施例が既に開示されているが、添付の特許請求の範囲で限定された本発明の原理の精神と範囲を逸脱することなく、様々な増加、修正及び置換を本発明の好ましい実施例に応用することができると理解すべきである。当業者であれば、本発明に様々な形式、構造、配置、比例、材料、素子及び部材の修正を加えることができる。したがって、ここに開示される実施例は、本発明を制限するものではなく、本発明を説明するためのものとみなすべきである。
【図１Ａ】
0003218291.tif 000003
【図１Ｂ】
0003218291.tif 000004
【図１Ｃ】
0003218291.tif 000005
【図１Ｄ】
0003218291.tif 000006
【図１Ｅ】
0003218291.tif 000007
【図１Ｆ】
0003218291.tif 000008
【図１Ｇ】
0003218291.tif 000009
【図１Ｈ】
0003218291.tif 000010
【図１Ｉ】
0003218291.tif 000011
【図２Ａ】
0003218291.tif 000012
【図２Ｂ】
0003218291.tif 000013
【図２Ｃ】
0003218291.tif 000014
【図３Ａ−３Ｃ】
0003218291.tif 000015
【図４Ａ−４Ｅ】
0003218291.tif 000016
【図５Ａ】
0003218291.tif 000017
【図５Ｂ】
0003218291.tif 000018
【図６Ａ】
0003218291.tif 000019
【図６Ｂ】
0003218291.tif 000020
【図６Ｃ】
0003218291.tif 000021
【図６Ｄ】
0003218291.tif 000022
【図６Ｅ】
0003218291.tif 000023
【図７Ａ】
0003218291.tif 000024
【図７Ｂ】
0003218291.tif 000025
【図７Ｃ】
0003218291.tif 000026
【図７Ｄ】
0003218291.tif 000027
【図８】
0003218291.tif 000028
【図９Ａ】
0003218291.tif 000029
【図９Ｂ】
0003218291.tif 000030
【図９Ｃ】
0003218291.tif 000031
【図９Ｄ】
0003218291.tif 000032
【図９Ｅ】
0003218291.tif 000033
【図９Ｆ】
0003218291.tif 000034
【図９Ｇ】
0003218291.tif 000035
【図１０Ａ】
0003218291.tif 000036
【図１０Ｂ】
0003218291.tif 000037
【図１０Ｃ】
0003218291.tif 000038
【図１０Ｄ】
0003218291.tif 000039
【図１０Ｅ】
0003218291.tif 000040
【図１１Ａ】
0003218291.tif 000041
【図１１Ｂ】
0003218291.tif 000042
【図１１Ｃ】
0003218291.tif 000043
【図１１Ｄ】
0003218291.tif 000044
【図１１Ｅ】
0003218291.tif 000045
【図１１Ｆ】
0003218291.tif 000046
【図１１Ｇ】
0003218291.tif 000047